【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
焦点位置を所定量ずらしながら被写体像を撮像し複数の画像データを取得する画像データ取得部と、
上記画像データ取得部で得られた画像データを、記録用画像データと表示用画像データに変換する解像度変換部と、
上記複数の画像データの中から上記画像取得部で画像データを取得した際の焦点位置のずらし量と画像データの解像度に基づき、合成すべき画像データを選択する画像選択部と、
上記画像選択部にて選択された複数の画像データを合成して被写界深度の深い画像データを生成する画像合成部と、
を具備し、
上記画像合成部は、上記解像度変換部で解像度変換を行った画像データを画像合成する場合には、解像度変換を行っていない場合に画像合成を行う画像数よりも少ない数の画像データを上記画像選択部で選択し、画像合成を行うことを特徴とする撮像装置。
【請求項２】
上記画像選択部は、上記複数の画像データの中から、少なくとも焦点位置のずらし量と解像度変更後の解像度に基づき合成すべき画像データを選択する、
ことを特徴とする請求項１に記載の撮像装置。
【請求項３】
上記画像データ取得部は、画像データからコントラストピークを検出するのに適したずらし量で焦点位置をずらしながら画像データを取得することを特徴とする請求項１または２に記載の撮像装置。
【請求項４】
上記ずらし量は、通常のＡＦモードでのコントラストピーク検出よりも、フォーカス間隔を細かく、かつフォーカスをスキャンする幅を広くしたことを特徴とする請求項３に記載の撮像装置。
【請求項５】
上記画像選択部は、上記解像度変更部による解像度変更後の解像度が低いほど、かつ、上記画像データ取得部にて取得された画像データの解像度が低いほど、合成すべき画像データのフォーカス位置のずれ量を大きくすることを特徴とする請求項２に記載の撮像装置。
【請求項６】
上記画像選択部が選択する合成フレーム数は、記録用画像データの合成フレーム数が一番多く、次いで本撮影の記録用確認画像データ、撮影準備状態の合成効果確認用画像データの順に合成フレーム数が少なくなることを特徴とする請求項１に記載の撮像装置。
【請求項７】
上記表示用画像データは、上記記録用画像データよりも低い解像度を有することを特徴とする請求項１に記載の撮像装置。
【請求項８】
焦点位置を所定量ずらしながら被写体像を撮像し複数の画像データを取得する画像データ取得部と、
撮影準備状態を指示するための操作部と、
上記操作部によって上記撮影準備状態が指示された際に、上記画像データ取得部によって取得された上記画像データに基づいて、コントラストピークを検出し、撮影レンズを合焦位置に移動させるＡＦ部と、
上記操作部によって上記撮影準備状態が指示された際に、上記画像データ取得部によって取得された上記複数の画像データの全てもしくは一部を合成して被写界深度の深い画像データを生成する画像合成部と、
上記画像合成部によって合成された被写界深度の深い画像データに基づいて深度合成画像を表示する表示部と、
を具備することを特徴とする撮像装置。
【請求項９】
さらに、上記画像データ取得部で得られた画像データを、記録用画像データと表示用画像データに変換する解像度変換部を有し、
上記表示用画像データは、上記記録用画像データよりも低い解像度を有することを特徴とする請求項８に記載の撮像装置。
【請求項１０】
焦点位置を所定量ずらしながら被写体像を撮像し複数の画像データを取得する画像データ取得部と、
上記画像データ取得部で得られた画像データを、記録用画像データと表示用画像データに変換する解像度変換部と、
本撮影を指示するための操作部と、
上記操作部によって上記本撮影が指示された際に、上記画像データ取得部によって取得された上記複数の画像データの全てを合成して記録用画像データを生成し、さらに上記画像データ取得部によって取得された上記複数の画像データの内の一部を選択し、この選択された画像データを合成して被写界深度の深い確認用の画像データを生成する画像合成部と、
上記画像合成部によって合成された確認用の画像データに基づいて深度合成画像を表示する表示部と、
を具備し、
上記画像合成部は、上記解像度変換部で解像度変換を行った画像データを画像合成する場合には、解像度変換を行っていない場合に画像合成を行う画像数より少ない数の画像データを上記画像選択部で選択し、画像合成を行うことを特徴とする撮像装置。
【請求項１１】
さらに、画像データを記録する記録部を有し、
上記記録部は、上記画像合成部によって生成された記録用画像データを記録する、
ことを特徴とする請求項１０に記載の撮像装置。
【請求項１２】
焦点位置を所定量ずらしながら被写体像を撮像し複数の画像データを取得する画像データ取得ステップと、
上記画像データ取得ステップで得られた画像データを、記録用画像データと表示用画像データに変換する解像度変換ステップと、
上記複数の画像データの中から、上記画像取得ステップで画像データを取得した際の焦点位置のずらし量と画像データの解像度に基づき、合成すべき画像データを選択する画像選択ステップと、
上記画像選択ステップにて選択された複数の画像データを合成して被写界深度の深い画像データを生成する画像合成ステップと、
を具備し、
上記画像合成ステップは、上記解像度変換ステップで解像度変換を行った画像データを画像合成する場合には、解像度変換を行っていない場合に画像合成を行う画像数より少ない数の画像データを上記画像選択ステップで選択し、画像合成を行うことを特徴とする撮像装置の制御方法。
【請求項１３】
撮像装置内のコンピュータを実行させるためのプログラムであって、
焦点位置を所定量ずらしながら被写体像を撮像し複数の画像データを取得する画像データ取得ステップと、
上記画像データ取得ステップで得られた画像データを、記録用画像データと表示用画像データに変換する解像度変換ステップと、
上記複数の画像データの中から、上記画像取得ステップで画像データを取得した際の焦点位置のずらし量と画像データの解像度に基づき、合成すべき画像データを選択する画像選択ステップと、
上記画像選択ステップにて選択された複数の画像データを合成して被写界深度の深い画像データを生成する画像合成ステップと、
を具備し、
上記画像合成ステップは、上記解像度変換ステップで解像度変換を行った画像データを画像合成する場合には、解像度変換を行っていない場合に画像合成を行う画像数より少ない数の画像データを上記画像選択ステップで選択し、画像合成を行うこと、
をコンピュータに実行させることを特徴とするプログラム。
【手続補正２】
【補正対象書類名】明細書
【補正対象項目名】０００７
【補正方法】変更
【補正の内容】
【０００７】
上記目的を達成するため第１の発明に係る撮像装置は、焦点位置を所定量ずらしながら被写体像を撮像し複数の画像データを取得する画像データ取得部と、上記画像データ取得部で得られた画像データを、記録用画像データと表示用画像データに変換する解像度変換部と、上記複数の画像データの中から上記画像取得部で画像データを取得した際の焦点位置のずらし量と画像データの解像度に基づき、合成すべき画像データを選択する画像選択部と、上記画像選択部にて選択された複数の画像データを合成して被写界深度の深い画像データを生成する画像合成部と、を具備し、上記画像合成部は、上記解像度変換部で解像度変換を行った画像データを画像合成する場合には、解像度変換を行っていない場合に画像合成を行う画像数よりも少ない数の画像データを上記画像選択部で選択し、画像合成を行う。
【手続補正３】
【補正対象書類名】明細書
【補正対象項目名】０００８
【補正方法】変更
【補正の内容】
【０００８】
第２の発明に係る撮像装置は、上記第１の発明において、上記画像選択部は、上記複数の画像データの中から、少なくとも焦点位置のずらし量と解像度変更後の解像度に基づき合成すべき画像データを選択する。
第３の発明に係る撮像装置は、上記第１または第２の発明において、上記画像データ取得部は、画像データからコントラストピークを検出するのに適したずらし量で焦点位置をずらしながら画像データを取得する。
第４の発明に係る撮像装置は、上記第３の発明において、上記ずらし量は、通常のＡＦモードでのコントラストピーク検出よりも、フォーカス間隔を細かく、かつフォーカスをスキャンする幅を広くする。
【手続補正４】
【補正対象書類名】明細書
【補正対象項目名】０００９
【補正方法】変更
【補正の内容】
【０００９】
第５の発明に係る撮像装置は、上記第２の発明において、上記画像選択部は、上記解像度変更部による解像度変更後の解像度が低いほど、かつ、上記画像データ取得部にて取得された画像データの解像度が低いほど、合成すべき画像データのフォーカス位置のずれ量を大きくする。
第６の発明に係る撮像装置は、上記第１の発明において、上記画像選択部が選択する合成フレーム数は、記録用画像データの合成フレーム数が一番多く、次いで本撮影の記録用確認画像データ、撮影準備状態の合成効果確認用画像データの順に合成フレーム数が少なくなる。
第７の発明に係る撮像装置は、上記第１の発明において、上記表示用画像データは、上記記録用画像データよりも低い解像度を有する。
【手続補正５】
【補正対象書類名】明細書
【補正対象項目名】００１０
【補正方法】変更
【補正の内容】
【００１０】
第８の発明に係る撮像装置は、焦点位置を所定量ずらしながら被写体像を撮像し複数の画像データを取得する画像データ取得部と、撮影準備状態を指示するための操作部と、上記操作部によって上記撮影準備状態が指示された際に、上記画像データ取得部によって取得された上記画像データに基づいて、コントラストピークを検出し、撮影レンズを合焦位置に移動させるＡＦ部と、上記操作部によって上記撮影準備状態が指示された際に、上記画像データ取得部によって取得された上記複数の画像データの全てもしくは一部を合成して被写界深度の深い画像データを生成する画像合成部と、上記画像合成部によって合成された被写界深度の深い画像データに基づいて深度合成画像を表示する表示部と、を具備する。
第９の発明に係る撮像装置は、上記第８の発明において、さらに、上記画像データ取得部で得られた画像データを、記録用画像データと表示用画像データに変換する解像度変換部を有し、上記表示用画像データは、上記記録用画像データよりも低い解像度を有する。
【手続補正６】
【補正対象書類名】明細書
【補正対象項目名】００１１
【補正方法】変更
【補正の内容】
【００１１】
第１０の発明に係る撮像装置は、焦点位置を所定量ずらしながら被写体像を撮像し複数の画像データを取得する画像データ取得部と、上記画像データ取得部で得られた画像データを、記録用画像データと表示用画像データに変換する解像度変換部と、本撮影を指示するための操作部と、上記操作部によって上記本撮影が指示された際に、上記画像データ取得部によって取得された上記複数の画像データの全てを合成して記録用画像データを生成し、さらに上記画像データ取得部によって取得された上記複数の画像データの内の一部を選択し、この選択された画像データを合成して被写界深度の深い確認用の画像データを生成する画像合成部と、上記画像合成部によって合成された確認用の画像データに基づいて深度合成画像を表示する表示部と、を具備し、上記画像合成部は、上記解像度変換部で解像度変換を行った画像データを画像合成する場合には、解像度変換を行っていない場合に画像合成を行う画像数より少ない数の画像データを上記画像選択部で選択し、画像合成を行う。
【手続補正７】
【補正対象書類名】明細書
【補正対象項目名】００１２
【補正方法】変更
【補正の内容】
【００１２】
第１１の発明に係る撮像装置は、上記第１０の発明において、さらに、画像データを記録する記録部を有し、上記記録部は、上記画像合成部によって生成された記録用画像データを記録する。
【手続補正８】
【補正対象書類名】明細書
【補正対象項目名】００１３
【補正方法】変更
【補正の内容】
【００１３】
第１２の発明に係る撮像装置の制御方法は、焦点位置を所定量ずらしながら被写体像を撮像し複数の画像データを取得する画像データ取得ステップと、上記画像データ取得ステップで得られた画像データを、記録用画像データと表示用画像データに変換する解像度変換ステップと、上記複数の画像データの中から、上記画像取得ステップで画像データを取得した際の焦点位置のずらし量と画像データの解像度に基づき、合成すべき画像データを選択する画像選択ステップと、上記画像選択ステップにて選択された複数の画像データを合成して被写界深度の深い画像データを生成する画像合成ステップと、を具備し、上記画像合成ステップは、上記解像度変換ステップで解像度変換を行った画像データを画像合成する場合には、解像度変換を行っていない場合に画像合成を行う画像数より少ない数の画像データを上記画像選択ステップで選択し、画像合成を行う。
【手続補正９】
【補正対象書類名】明細書
【補正対象項目名】００１４
【補正方法】変更
【補正の内容】
【００１４】
第１３の発明に係るプログラムは、撮像装置内のコンピュータを実行させるためのプログラムであって、焦点位置を所定量ずらしながら被写体像を撮像し複数の画像データを取得する画像データ取得ステップと、上記画像データ取得ステップで得られた画像データを、記録用画像データと表示用画像データに変換する解像度変換ステップと、上記複数の画像データの中から、上記画像取得ステップで画像データを取得した際の焦点位置のずらし量と画像データの解像度に基づき、合成すべき画像データを選択する画像選択ステップと、上記画像選択ステップにて選択された複数の画像データを合成して被写界深度の深い画像データを生成する画像合成ステップと、を具備し、上記画像合成ステップは、上記解像度変換ステップで解像度変換を行った画像データを画像合成する場合には、解像度変換を行っていない場合に画像合成を行う画像数より少ない数の画像データを上記画像選択ステップで選択し、画像合成を行うこと、をコンピュータに実行させる。
【手続補正１０】
【補正対象書類名】明細書
【補正対象項目名】００３６
【補正方法】変更
【補正の内容】
【００３６】
なお、図示しないが、画像処理部１０９内には、画像圧縮部と画像伸張部が設けられている。画像圧縮部は、画像データの記録媒体１３１への記録時に、ＳＤＲＡＭ１２７から読み出した画像データを、静止画の場合にはＪＰＥＧ圧縮方式等、また動画の場合にはＭＰＥＧ等の各種圧縮方式に従って圧縮する。また、画像伸張部は、画像再生表示用にＪＰＥＧ画像データやＭＰＥＧ画像データの伸張も行う。伸張にあたっては、記録媒体１３１に記録されているファイルを読み出し、画像伸張部において伸張処理を施した上で、伸張した画像データをＳＤＲＡＭ１２７に一時記憶する。なお、本実施形態においては、画像圧縮方式としては、ＪＰＥＧ圧縮方式やＭＰＥＧ圧縮方式を採用するが、圧縮方式はこれに限らずＴＩＦＦ、Ｈ．２６４等、他の圧縮方式でも勿論かまわない。また、圧縮方式は、可逆圧縮でも、非可逆圧縮でもよい。
【手続補正１１】
【補正対象書類名】明細書
【補正対象項目名】０１１５
【補正方法】変更
【補正の内容】
【０１１５】
このように、合成効果確認用に使用する画像のフレーム数が一番少なく、次いで記録確認用に使用するフレーム数が少なく、記録画像用に使用するフレーム数が一番多い。このため、記録用の深度合成画像は処理時間が掛かるが高精度の画像データを生成することができる。一方、合成効果確認用および記録確認用の深度合成画像は、表示パネル１３５に表示するには十分な精度を確保しつつ、処理時間を短縮することができる。このため、シャッタチャンスを逃すことなく、深度合成をした場合の確認画像を観察することが可能となる。
【手続補正１２】
【補正対象書類名】明細書
【補正対象項目名】０１１６
【補正方法】変更
【補正の内容】
【０１１６】
以上説明したように、本発明の一実施形態における撮像装置は、焦点位置を所定量ずらしながら被写体像を撮像し複数の画像データを取得する画像データ取得部（例えば、撮影指示部１２１ｂ、撮像素子１０３、ドライバ２０５等）と、画像取得部で画像データを取得した際の焦点位置のずらし量と画像データの解像度に基づき、合成すべき画像を選択する画像選択部（例えば、合成画像選択部１２１ｃ等）と、画像選択部にて選択された複数の画像データを合成して被写界深度の深い画像データを生成する画像合成部（例えば、画像合成部１０９ｃ等）を有している。このように、画像合成するための画像データを焦点位置のずらし量と画像データの解像度に基づいて選択していることから、被写界深度合成の効果を事前に画像で精度よく確認できる。